(57)【要約】【課題】本発明は、排気をブロワーに用いることができ、把持部においてブロワーの風量を調整できる電気掃除機を提供すること。【解決手段】電気掃除機において、制御手段は操作表示部からの入力に基づき電動送風機の出力を制御し、集塵ユニットは収容ユニットに着脱自在に取り付けられ、収容ユニットにはサクションホースと接続して塵挨を含む気流を吸い込む吸込み側ホース接続口と、塵挨を分離した気流を排気する排気口が形成され、排気口は、サクションホースが接続する排気側ホース接続口が形成され、サクションホースは、吸込み側接続口と排気側接続口と接続する接続部を有し、接続部には、操作表示部と電気的に繋がる接続端子が備えられ、吸込み側ホース接続口と排気側ホース接続口には、サクションホースが接続することで、接続端子と接続する接続部を有し、操作表示部と制御手段とを電気的に接続する。【選択図】図１
2016165384.tif 000002
【特許請求の範囲】
【請求項１】
集塵ユニットと収容ユニットと電動送風機と制御手段を有する掃除機本体と、前記掃除機本体に接続するサクションホースと、前記サクションホースに接続する接続パイプと、前記接続パイプに設けられた操作表示部を有する電気掃除機において、
前記制御手段は、前記操作表示部からの入力に基づき前記電動送風機の出力を制御し、
前記集塵ユニットは、前記収容ユニットに着脱自在に取り付けられ、
前記収容ユニットには、前記サクションホースと接続して塵挨を含む気流を吸い込む吸込み側ホース接続口と、塵挨を分離した気流を排気する排気口が形成され、
前記排気口は、サクションホースが接続する排気側ホース接続口が形成され、
前記サクションホースは、前記吸込み側接続口と前記排気側接続口と接続する接続部を有し、前記接続部には、前記操作表示部と電気的に繋がる接続端子が備えられ、
前記吸込み側ホース接続口と前記排気側ホース接続口には、前記サクションホースが接続することで、前記接続端子と接続する接続部を有し、前記操作表示部と前記制御手段とを電気的に接続することを特徴とする電気掃除機。
【請求項２】
前記操作表示部を操作することにより、前記電動送風機の出力を変更することが可能であることを特徴とする請求項１に記載の電気掃除機。
【請求項３】
前記集塵ユニットは、吸込んだ含塵空気から塵挨を分離する構造がサイクロン構造であることを特徴とする請求項１又は２のいずれかに記載の電気掃除機。
【請求項４】
前記電動送風機の上流側及び下流側に、フィルターが設けられたことを特徴とする請求項１から請求項３に記載の電気掃除機。
【請求項５】
前記電動送風機と前記排気口との風路は排気洩れを防ぐシール構造をとり，前記排気口からの集中排気を特徴とする請求項１から請求項４に記載の電気掃除機。
【発明の詳細な説明】
【技術分野】
【０００１】
本発明は、電気掃除機に関する。
【背景技術】
【０００２】
従来から、本体内部に電動送風機を備え、電動送風機の動作により生み出された気流を排気する排気口にブロワホースを接続して、本体から排出される排気をブロワーの気流に用いる電気掃除機がある（例えば、特許文献１参照）。
【先行技術文献】
【特許文献】
【０００３】
【特許文献１】実開平１−１４９７５５号公報
【発明の概要】
【発明が解決しようとする課題】
【０００４】
しかしながら従来の構成では、ブロワホースに設けられた把持部（ハンドル）において、電動送風機の出力を調整する操作部が無いため、把持部で電動送風機の出力を調整できず、ブロワーの風量を調整することができないという課題がある。
【０００５】
本発明は、上記のような課題を解決する為になされたもので、本体から排出される排気をブロワーに用いることができ、ブロワー機能として用いる際に把持部において容易に電動送風機の出力、つまり、ブロワーの風量を調整できる電気掃除機を提供することを目的とする。
【課題を解決するための手段】
【０００６】
上記の課題を解決するためには、電気掃除機において、集塵ユニットと収容ユニットと電動送風機と制御手段を有する掃除機本体と、掃除機本体に接続するサクションホースと、サクションホースに接続する接続パイプと、接続パイプに設けられた操作表示部を有する電気掃除機において、制御手段は、操作表示部からの入力に基づき電動送風機の出力を制御し、集塵ユニットは、収容ユニットに着脱自在に取り付けられ、収容ユニットには、サクションホースと接続して塵挨を含む気流を吸い込む吸込み側ホース接続口と、塵挨を分離した気流を排気する排気口が形成され、排気口は、サクションホースが接続する排気側ホース接続口が形成され、サクションホースは、吸込み側接続口と排気側接続口と接続する接続部を有し、接続部には、操作表示部と電気的に繋がる接続端子が備えられ、吸込み側ホース接続口と排気側ホース接続口には、サクションホースが接続することで、接続端子と接続する接続部を有し、操作表示部と制御手段とを電気的に接続するように構成すればよい。
【発明の効果】
【０００７】
本発明によれば、本体から排出される排気をブロワーに用いることができ、ブロワー機能として用いる際にハンドルに設けられた操作表示部において容易に電動送風機の出力、つまり、ブロワーの風量を調整できる電気掃除機を提供することができる。
【図面の簡単な説明】
【０００８】
【図１】電気掃除機１の斜視図
【図２】掃除機本体６の斜視図
【図３】掃除機本体６の上面図
【図４】掃除機本体６の後面図
【図５】サクションホース５の接続部５ｂの斜視図
【図６】集塵ユニットの斜視図
【図７】集塵ユニットの分解斜視図
【図８】図６におけるＣ−Ｃ断面図
【図９】図３におけるＡ−Ａ断面図
【図１０】排気口にサクションホース５を接続した状態の排気側接続部の略中央部における断面図
【図１１】図１０に示すＢ部の拡大図
【図１２】図１０の状態の掃除機本体６の全体斜視図
【発明を実施するための形態】
【０００９】
実施の形態
以下、図面を参照して本発明の実施の形態について説明する。
図１は、本発明の実施の形態に係る電気掃除機１の斜視図である。図２は、掃除機本体６の斜視図である。図３は、掃除機本体６の上面図である。図４は、掃除機本体６の後面図である。図５は、サクションホース５の接続部５ｂの斜視図である。図６は、集塵ユニットの斜視図である。図７は、集塵ユニットの分解斜視図である。図８は、図６におけるＣ−Ｃ断面図である。図９は、図３におけるＡ−Ａ断面図である。図１０は、排気口にサクションホース５を接続した状態の断面図である。図１１は、図１０に示すＢ部の拡大図である。図１２は、図１０の状態の掃除機本体６の斜視図である。
【００１０】
図１〜図４に示すように、本実施の形態１の電気掃除機１は、例えば、吸込口体２、吸引パイプ３、接続パイプ４、サクションホース５及び掃除機本体６（以下、本体６）を備える。
吸込口体２は、下向きに形成された開口（図示せず）から、床面上のごみ（塵埃）を空気と一緒に吸い込むためのものである。吸込口体２は、長手方向の中央部に円筒状の接続部２ａを備える。上記開口と接続部２ａとは、吸込口体２の内部で通じている。
吸引パイプ３は、円筒状の真直ぐな部材からなる。そして、吸引パイプ３は、伸縮自在な構成を有する。また、吸引パイプ３は、一側の端部が吸込口体２の接続部２ａに接続する。吸込口体２は、吸引パイプ３に着脱自在である。
【００１１】
接続パイプ４は、途中で折れ曲がった円筒状の部材からなる。接続パイプ４は、一側の端部が吸引パイプ３の他側の端部に接続される。吸引パイプ３は、接続パイプ４に着脱自在である。
また、接続パイプ４には、ハンドル７が設けられる。ハンドル７は、掃除をする人が持つ把持部である。ハンドル７には、操作表示部８が設けられる。操作表示部８は、電気掃除機１の運転を指示するための複数のボタン８ａや運転状態を示す表示ランプ８ｂを備える。尚、操作表示部８は、操作のみを行う部位でもよい。
【００１２】
操作表示部８ａに備えられるボタンの例として、後述する電動送風機１０を作動・停止させる入・切ボタンや、電動送風機１０の出力を変化させて吸引力を調整する出力調整ボタン等がある。また、備えられる表示ランプの例として、電動送風機１０の出力（吸引力）を示す出力ランプや、運転モードを示す運転モードランプ等がある。
これらのボタンを構成するスイッチや表示ランプは、印刷配線基板（図示せず）に実装されており、本体６から供給される電力により動作する。
【００１３】
サクションホース５は、蛇腹状の細長い部材からなる。サクションホース５は、蛇腹状であるため任意の方向に曲がる。サクションホース５は、一側の端部が接続パイプ４の他側の端部に接続される。掃除機本体６の前面には、前方に向けて開口する吸気側ホース接続口９が形成される。掃除機本体６の吸気側ホース接続口９は、サクションホース５の他側の端部が接続し、塵挨を含む気流を取り込む。
【００１４】
ここで、サクションホース５の内部には、上記の操作表示部８を構成する印刷配線基板に接続して、他側の端部に至る複数のリード線５ａが設けられている。
このリード線５ａは、本体６に設けられた制御手段（図示せず）から操作表示部８に電力を供給したり、制御手段からの信号を操作表示部８に入力したり、操作表示部８におけるスイッチ操作による信号を制御手段に出力したり、吸込口体２に電動の回転ブラシを備える場合、この回転ブラシを駆動するモーターを制御する制御基板に電力を供給する。
制御手段は、操作表示部８への入力や各部に設けられた各種センサーからの入力に基づき、電動送風機１０の出力や表示ランプの制御をおこなう。
【００１５】
そして、図５を参照すると、サクションホース５の他側の端部には、吸気側ホース接続口９に着脱自在に接続する接続部５ｂが形成される。この接続部５ｂには、リード線５ａに電気的に接続する接続端子５ｃが設けられる。接続端子５ｃは棒形状をなし、長手方向が、吸気側ホース接続口９に対する接続部５ｂの接続方向と一致している。接続端子５ｃは、操作表示部８と電気的に接続している。
上記の吸気側ホース接続口９には、サクションホース５の接続部５ｂが接続した際に、接続端子５ｃと接続する接続部となる吸気側端子受け部９ａが設けられている。この吸気側端子受け部９ａは、制御手段と電気的に接続している。尚、サクションホース５は、接続部５ｂに対して回転自在に構成されている。
【００１６】
吸気側端子受け部９ａに接続端子５ｃが接続することで、操作表示部８が制御手段に電気的に接続する。これにより、操作表示部８が本体６（制御手段）から電力の供給や制御信号を受けたり、使用者がスイッチを操作することによる信号を制御手段に出力できるので、操作表示部８から電動送風機１０の出力を変更可能となる。
つまり、使用者がハンドル７を持ったまま操作表示部８を操作して、電動送風機１０の出力を変更して、吸引力を調整することができる。また、接続部５ｂには、吸気側ホース接続口９に接続した際に、吸気側ホース接続口９に形成された係止め凹部に係止する係止爪５ｄと、係止状態を解除する係止解除ボタン５ｅが設けられている。
【００１７】
次に図９を参照すると、掃除機本体６は、電動送風機１０（図１では図示せず）及び電源コード１１を備える。電源コード１１は、掃除機本体６の内部に設けられたコードリール部（図示せず）に巻き付けられる。
電源コード１１が外部の電源に接続されると、電動送風機１０や操作表示部８等が通電可能となる。電動送風機１０は、電源コード１１が電源に接続されると、操作表示部８に対する操作に応じて予め設定された吸引動作を行う。
【００１８】
以上のようにそれぞれ接続する吸込口体２、吸引パイプ３、接続パイプ４及びサクションホース５は、内部が一続きに形成される。電動送風機１０が吸引動作を行うと、床面上のごみ等の塵埃が空気と一緒に吸込口体２に吸い込まれる。
吸込口体２の内部に流入した塵埃を含む空気は、吸引パイプ３、接続パイプ４及びサクションホース５の各内部を通って本体６に送られる。吸込口体２、吸引パイプ３、接続パイプ４及びサクションホース５は、外部から本体６にごみ等の塵埃を含む空気を流入させるための風路を形成する。
尚、本発明において、塵埃とは、ごみだけでなく、繊維、毛、綿毛、土砂、粉末、粉体等も包含する概念である。本発明では、塵埃を含む空気（塵埃と空気の混合物）を含塵空気と称する。
【００１９】
以下の説明では、掃除機本体６が真っ直ぐ前に進むときの進行方向を基準として左右を特定する。すなわち、図３の上を右、図３の下を左、図３の左を進行方向とする。
掃除機本体６は、収容ユニット１２と塵挨を捕集する集塵部となる集塵ユニット１３とを備える。集塵ユニット１３は、収容ユニット１２に対して着脱自在に搭載される。
【００２０】
収容ユニット１２は、電動送風機１０及び電源コード１１を備える収容部である。また、収容ユニット１２は、例えば、後部収容体１４及び前部収容体１５と吸気風路形成部１６と排気風路形成部１７と車輪１８とを備える。
電動送風機１０及び電源コード１１は、後部収容体１４に収容される。前部収容体１５は上方に向けて開口し、開口内部に収容部１５ａを形成する。収容部１５ａは、集塵ユニット１３を収容するための空間である。後部収容体１４及び前部収容体１５は、例えば成型品である。
【００２１】
吸気風路形成部１６は、吸気風路１９を形成する。吸気風路１９は、収容ユニット１２に形成された風路である。吸気風路１９は、サクションホース５を通過した含塵空気を集塵ユニット１３に導くための風路である。
吸気風路形成部１６は、一端が収容ユニット１２の前面で開口する。吸気風路形成部１６のこの一端は、吸気側ホース接続口９を形成する。吸気風路形成部１６は、他端が収容体１５で開口する。吸気風路形成部１６のこの他端は、集塵ユニット１３との接続口２５ａを形成する。
【００２２】
集塵ユニット１３は、吸気風路１９から流入した含塵空気から塵埃を分離する機能を有する。集塵ユニット１３は、含塵空気を高速で旋回させることにより、遠心力によって塵埃を分離する。
すなわち、集塵ユニット１３は、含塵空気の分離方式がサイクロン分離方式である。また、集塵ユニット１３は、分離した塵埃を捕集し、一時的に溜めておく機能を有する。
【００２３】
ここで図６〜図９を参照して、集塵ユニット１３について説明する。
各図に示すように集塵ユニット１３は、全体として、円筒形状を成しており、集塵ユニット１３は、排出部ケース２３、フィルター部ケース２４、流入部ケース２５及び集塵部ケース２６から構成される。
【００２４】
これらの排出部ケース２３、フィルター部ケース２４、流入部ケース２５及び集塵部ケース２６は、例えば、樹脂成型品からなる。排出部ケース２３、フィルター部ケース２４、流入部ケース２５及び集塵部ケース２６は、所定の操作（例えば、ロック機構に対する操作等）により、図７に示す状態に分解したり、図６に示す状態に組み立てたりすることができるように構成されている。また、図６に示す状態から、集塵部ケース２６のみを取り外すこともできる。
【００２５】
以下、排出部ケース２３、フィルター部ケース２４、流入部ケース２５及び集塵部ケース２６を組み合わせて構成された集塵ユニット１３について説明する。また、以下の集塵ユニット１３に関する説明においては、図８に示す向きを基準に、上下を特定する。
図６〜図８に示すように、流入部ケース２５の前側には、流入口２５ａが形成される。また、排出部ケース２３の後側には、流出口２３ａが形成される。流出口２３ａは、流入口２５ａよりも上方の位置に配置されている。
【００２６】
図７〜図９に示すように、流入部ケース２５は、流入口２５ａから内部に含塵空気を導入する部位であり、内部に旋回室２５ｂを備えている。旋回室２５ｂの上部は、円筒部２５ｃからなる。旋回室２５ｂの下部は、円錐部２５ｄからなる。
【００２７】
円筒部２５ｃは、中空の円筒形状を成している。円筒部２５ｃは、断面中心軸線Ｌが上下方向を向くように配置される。円錐部２５ｄは、先端部が切り取られた中空の円錐状を呈する。円錐部２５ｄは、断面中心軸線Ｌが円筒部２５ｃの中心軸線と一致するように、上下方向に配置される。
円錐部２５ｄは、上端部が円筒部２５ｃの下端部に接続され、下方に向かうに従って径が小さくなるように、円筒部２５ｃの下端部から下方に延びるように設けられる。
【００２８】
このように形成された円筒部２５ｃの内部空間と円錐部２５ｄの内部空間とからなる一続きの空間は、旋回室２５ｂを構成する。旋回室２５ｂは、流入口２５ａより導入した含塵空気を旋回させるための空間である。
図８に示すように、円筒部２５ｃの上部（旋回室２５ｂを形成する側壁の上部）には、流入口２５ａが開口する。流入口２５ａから流入する含塵空気は、円筒形状の旋回室２５ｂの側面に沿って流入する。
【００２９】
次に、図７〜図９に示すように、旋回室２５ｂの円筒部２５ｃの側壁には、０次開口部２５ｅが形成されている。０次開口部２５ｅは、流入口２５ａよりも旋回室２５ｂの中心軸線Ｌ方向の下方に配置される。
さらに言えば、０次開口部２５ｅは、流入口２５ａよりも、旋回室２５ｂの中心軸線Ｌ方向の下方、すなわち、旋回室２５ｂ内で生じる旋回流における下流側に配置される。
【００３０】
次に、旋回室２５ｂを形成する円錐部２５ｄの下端部は、下方向（中心軸線Ｌ方向）を向いて開口する。円錐部２５ｄの下端部に形成されたこの開口が、１次開口部２５ｆである。したがって、この１次開口部２５ｆは０次開口部２５ｅより旋回室２５ｂ内で生じる旋回流における下流側に配置されている。
また、円錐部２５ｄの外側には、隔壁３０が設けられている。この隔壁３０は、円筒部２５ｃとほぼ同径の略円筒状を呈する。隔壁３０の上端は、円筒部２５ｃと円錐部２５ｄとの接続部近傍に接続されている。
【００３１】
次に、集塵部ケース２６は、下方が閉じ、上方が開口したカップ形状を成している。集塵部ケース２６は、流入部ケース２５の外側及び下方側に配置される。つまり、集塵部ケース２６の内側に、旋回室２５ｂを形成する円筒部２５ｃと円錐部２５ｄが位置する。
この状態において、流入部ケース２５の円筒部２５ｃの０次開口部２５ｅの上端よりも下方側と、円錐部２５ｄ及び隔壁３０の全体が、集塵部ケース２６内に収容される。また、隔壁３０の下端部が、集塵部ケース２６の底面に設けられたシール材と密着する。
そして、集塵部ケース２６の開口２６ａは、流入部ケース２５の外周面からフランジ状に突出した蓋部２５ｇにより密閉される。
【００３２】
そして、流入部ケース２５と集塵部ケース２６との間に形成された空間は、隔壁３０により２つに区切られる。こうしてできた２つの空間のうち、円筒部２５ｃ及び隔壁３０の外側に形成された空間が０次集塵室３１であり、円錐部２５ｄの下方及び外側であって隔壁３０の内側に形成された空間が１次集塵室３２である。
つまり、集塵部ケース２６と流入部ケース２５の外面の間に形成される空間は、旋回室２５ｂから排出された塵埃を保持する集塵室３１，３２となっている。
【００３３】
０次集塵室３１は、０次開口部２５ｅと連通しており、旋回室２５ｂの外側全周を覆うように包囲している。また、０次集塵室３１は、０次開口部２５ｅから下方に延在している。１次集塵室３２は、１次開口部２５ｆの下方から円錐部２５ｄの外側全周へ延在している。
【００３４】
次に、フィルター部ケース２４は、円筒部２５ｃの上開口を覆うように設けられる。フィルター部ケース２４には、メッシュ状の排出口２４ａが形成されている。排出口２４ａは、上部が略円筒形状、下部が略円錐形状の管の側壁及び下方の一部を開口して形成される微細孔により構成される。
【００３５】
よって、旋回室２５ｂ内の上方における気流の旋回力が増大し分離性能をさらに向上することができる。そして、この排出口２４ａと流出口２３ａとが、排出部ケース２３に形成された排出管２３ｂにより連通される。
排出管２３ｂは主に排出部ケース２３により形成されている。なお、排出口２４ａはフィルター部ケース２４に形成されており、旋回室２５ｂの上端壁は、フィルター部ケース２４の底面の一部により形成される。
【００３６】
以上のような構成を有する集塵ユニット１３が、収容部１５ａに適切に取り付けられると、流入口２５ａが吸気風路１９と接続して吸気側ホース接続口９と連通し、流出口２３ａが接続口２２と接続して排気風路２１と連通した状態となる。
【００３７】
次に、図９を参照して、集塵ユニット１３の機能について説明する。尚、吸気風路１９から後述する本体６の排気口５０に至る気流の流れは、図において経路Ｗとして実線の矢印で示されている。排気口５０は、塵挨を分離した気流を本体６から排気する開口である。
図９を参照すると、電動送風機１０の吸引動作が開始されると、吸込口体２から吸込まれた含塵空気は、上述した通り、吸気風路１９を通過し、流入口２５ａから集塵ユニット１３の内部へと流入する。
【００３８】
集塵室ユニット１３の内部に流入した含塵空気は、旋回室２５ｂを構成する円筒部２５ｃの内周面に沿って流入する。
取り込まれた含塵空気は、旋回室２５ｂ内において、側壁に沿って所定の方向に回る旋回気流を形成する。この旋回気流は、その経路構造とによって下向きに流れていく。
【００３９】
そして、この旋回気流（旋回室２５ｂ内の空気流）に含まれるごみには、遠心力が作用する。例えば、繊維ごみや毛髪といった比較的嵩の大きなごみ（以下、このようなごみのことを「ごみα」という）は、この遠心力によって、円筒部２５ｃの内周面（旋回室２５ｂの内壁面）に押し付けられながら、旋回室２５ｂ内を下方向に移動する。
【００４０】
ごみαは、０次開口部２５ｅの高さに達すると旋回気流から分離され、０次開口部２５ｅを通過して０次集塵室３１に送られる。そして、０次開口部２５ｅから０次集塵室３１に進入したごみαは、０次集塵室３１内を落下して、０次集塵室３１内部に捕集される。
つまり、ごみαは、旋回室２５ｂとは独立した空間となっている０次集塵室３１に送られ、旋回気流の影響が少ない状態で０次集塵室３１内部に保持される。
【００４１】
次に、０次開口部２５ｅから０次集塵室３１に進入しなかったごみβ（砂ごみや細かな繊維ごみといった比較的嵩の小さなごみ）は、旋回室２５ｂ内の気流に乗って、旋回室２５ｂ内を旋回しながら下方に進む。
そして、ごみβは、１次開口部２５ｆを通過する。そして、ごみβは、１次集塵室３２に落下して捕捉される。つまり、ごみβは、旋回室２５ｂとは独立した空間となっている１次集塵室３２に送られ、旋回気流の影響が少ない状態で１次集塵室３２内部に保持される。
【００４２】
旋回室２５ｂ内で旋回する気流は、旋回室２５ｂの最下部に達すると、その進行方向を上向きに変えて、旋回室２５ｂの中心軸に沿って上昇する。尚、この上昇気流を形成する空気からは、上記で説明した作用により、殆どのごみα及びごみβが除去されている。
ごみα及びごみβが取り除かれた気流（清浄空気）は、排出口２４ａを通過して、旋回室２５ｂの外に排出される。旋回室２５ｂから排出された空気は、排出管２３ｂ内を通過して、流出口２３ａに達する。そして、清浄空気は、流出口２３ａ及び接続口２２を順次通過して、排気風路２１に送られる。
【００４３】
電動送風機１０が吸引動作を行うことにより、上述したように、ごみαが０次集塵室３１に、ごみβが１次集塵室３２に集積されていく。これらのごみα及びβは、集塵部ケース２６を集塵ユニット１３から取り外すことにより、簡単に捨てることができる。
また、ごみα、ごみβは、旋回室２５ｂから独立した空間である０次集塵室３１、１次集塵室３２に保持される。つまり、旋回気流は、ごみが蓄積される集塵室内部をほとんど通過することなく、含塵空気からごみである塵挨と気流を分離する。従って、ごみに含まれる匂い等、旋回気流に混ざることを防止でき、集塵ユニット１３から排出される空気をよりクリーンにすることができる。
【００４４】
次に、収容ユニット１２の内部に構成される排気風路形成部１７は、排気風路２１を形成する。排気風路２１は、集塵ユニット１３において塵埃が取り除かれた空気を排気口５０に導くための風路である。
すなわち、排気風路２１には、集塵ユニット１３から清浄な空気が流入する。排気風路形成部１７の一端の開口は、流出口２３ａとの接続口２２を形成する。
接続口２２は、収容ユニット１２の上面において、左右方向の中央付近に配置される。排気風路形成部１７の他端は、収容ユニット１２の外部に向けて開口する。排気風路形成部１７のこの他端は、排気口５０を形成する。
【００４５】
ここで、接続口２２から排気口５０に至る排気風路２１について説明する。
図９を参照すると、排気風路２１には電動送風機１０が設けられている。電動送風機１０は、電気掃除機１に形成された風路に気流を発生させる。電気掃除機１に形成された風路には、例えば、外部から掃除機本体６に含塵空気を流入させるための風路、吸気風路１９、集塵ユニット１３に形成された風路及び排気風路２１が含まれる
また、電動送風機１０は、吸込み口１０ａが上方に向け開口し、送風機排出口１０ｂが側面に開口し、排気風路２１の内部に設けられている。
接続口２２と電動送風機１０の間（電動送風機の上流側）には、ＨＥＰＡフィルター２１ａが設けられている。また、電動送風機１０の前方（電動送風機の下流側）には、ＵＬＰＡフィルター２１ｂが設けられている。
【００４６】
このように形成された排気風路２１を流れる気流は、接続口２２から下方向に向けて流れ、ＨＥＰＡフィルター２１ａを通過したのち電動送風機１０の吸込み口１０ａに吸込まれ、電動送風機１０の送風機排出口１０ｂから前方に向けて噴き出され、ＵＬＰＡフィルター２１ｂを通過したのち下方向に流れ、電動送風機１０の下方に位置する排気風路２１を形成する空間を流れたのち、後方に向けて開口する排気口５０へと至る。
【００４７】
このように、電動送風機１０の上流側に、集塵性能が高いＨＥＰＡフィルター２１ａを設けることで、集塵ユニット１３で捕集しきれない塵挨を捕集することができ、排気をよりきれいにすることができる。
また、電動送風機１０の下流側にＵＬＰＡフィルター２１ｂを設けることで、電動送風機１０の内部から出るカーボンなどの塵挨を捕集することができ、電動送風機１０から出る排気をきれいにすることができる。
尚、電動送風機１０から排気口５０へ至る排気風路２１は、排気洩れを防ぐシール構造となっており、電動送風機１０からの排気が、排気口５０から集中して排気するように構成されている。これにより、排気口５０からでる排気の風速を強くすることができる。
【００４８】
ここで、図９〜図１２を参照して、排気口５０について説明する。
排気口５０は、電動送風機１０の後方であって、収容体１４の後面に位置している。排気口５０は前後方向に延びる筒状に形成されており、前側の端には開口を遮るように格子５０ａが設けられている。
排気口５０の内形状は、サクションホース５の接続部５ｂが接続可能な形状をなしている。つまり、排気口５０には、接続部５ｂが接続可能である排気側ホース接続口を形成している。尚、接続部５ｂが接続した状態において、サクションホース５と排気口５０は一連の空間を成し、排気口５０から排出される気流である排気が、サクションホース５の内部に流入可能となる。
【００４９】
これにより、サクションホース５に排気の気流を導入することができるので、サクションホース５の接続パイプ４が接続される側にブロアー用のアタッチメント６０を取り付けることで、アタッチメントから排気流をブロアーの気流として噴き出すことができ、塵埃を吹き飛ばすブロアーとして用いることができる。尚、アタッチメント６０は、ブロアーとして用いる際の使用用途に応じて、形状が異なるものと交換して用いてもよい。また、アタッチメント６０を用いずに、直接接続パイプ４からブロアーの気流を噴き出して用いてもよい。
【００５０】
特に、本実施の形態では、上記のように、ごみα、ごみβは、旋回室２５ｂから独立した空間である０次集塵室３１、１次集塵室３２に保持される集塵ユニット１３を用いているので、集塵ユニット１３を流れる気流は、ごみが蓄積される集塵室内部をほとんど通過することがなく、ごみに含まれる匂い等が排気流に混ざりにくい。
つまり、ブロアーの気流に用いる排気流が、クリーンな状態であり、集塵ユニット１３にごみを貯めた状態であっても、ごみの臭いなどを気にせずブロアーとして用いることができる。
【００５１】
また、排気口５０の近傍には、サクションホース５の接続部５ｂが接続した際に、接続端子５ｃを受け入れて接続する接続部となる排気側端子受け部５０ｂが設けられている。この排気側端子受け部５０ｂは、制御手段と電気的に接続しており、吸気側端子受け部９ａと同様に、接続端子５ｃと接続することで、操作表示部８が制御手段に電気的に接続する。
これにより、操作表示部８が本体６（制御手段）から電力の供給、制御信号の受信、使用者がスイッチを押圧操作することによる信号を制御手段に出力できるので、操作表示部８から電動送風機１０の出力を変更可能となる。
【００５２】
つまり、使用者がハンドル７を持ったまま操作表示部８を操作して、電動送風機１０の出力を変更して、排気口５０から排出される排気風の強さを調整することができる。従って、ブロアーとして用いる場合であっても、使用者がハンドルを持ったままブロアーの強さを調整することができる。
【００５３】
また、接続部５ｂには係合手段５ｄが設けられている。排気口５０には係合手段５ｃが係合する係合受け部５０ｃが設けられる。係合受け部５０ｃも端子受け部５０ｂもサクションホース５が接続した状態において、上側に位置する。
【００５４】
また、排気口５０に、接続部５ｂが接続すると信号を制御手段に入力する接続検出スイッチを設けてもよい。このように、制御手段が排気口５０に接続部５ｂが接続したか否かを検出可能に構成することで、ブロワー運転の際の電動送風機１０の動作を、通常の掃除を行う際の動作と異ならせることができる。
また、制御手段が排気口５０に接続部５ｂが接続したか否かを検出可能に構成することで、ブロワー運転状態である旨を操作表示部に表示することができる。
【符号の説明】
【００５５】
１  電気掃除機、２吸込口体、３  吸引パイプ、４  接続パイプ、５  サクションホース、５ａ  リード線、５ｂ  接続部、５ｃ  接続端子、５ｄ  係合手段、５ｅ  係合解除ボタン、６  掃除機本体、７  ハンドル、８  操作表示部、９  吸気側ホース接続口、９ａ吸気側端子受け部、  １０  電動送風機、１１  電源コード、１２  収容ユニット、１３  集塵ユニット、１４  後部収容体、１５  前部収容体、５０  排気口、５０ａ  格子、５０ｂ  排気側端子受け部、５０ｃ  係合受け部５０ｃ
【図１】
2016165384.tif 000003
【図２】
2016165384.tif 000004
【図３】
2016165384.tif 000005
【図４】
2016165384.tif 000006
【図５】
2016165384.tif 000007
【図６】
2016165384.tif 000008
【図７】
2016165384.tif 000009
【図８】
2016165384.tif 000010
【図９】
2016165384.tif 000011
【図１０】
2016165384.tif 000012
【図１１】
2016165384.tif 000013
【図１２】
2016165384.tif 000014